(57)【特許請求の範囲】
【請求項１】
ワイヤレス受電装置に対して、電界、磁界、電磁界のいずれかを含む電力信号を送信するワイヤレス給電装置であって、
送信コイルを含む送信アンテナと、
前記送信アンテナとカップリングされる自動チューニング補助回路と、
前記送信アンテナおよび前記自動チューニング補助回路の両端間に交流の駆動電圧を印加する電源と、
を備え、
前記自動チューニング補助回路は、
第１端子と、
第２端子と、
前記第１端子と前記第２端子の間に直列に設けられた、第１スイッチおよび第１補助キャパシタと、
前記第１端子と前記第２端子の間に、前記第１スイッチおよび前記第１補助キャパシタに対して並列に設けられた第２スイッチと、
前記第１スイッチおよび前記第２スイッチを、前記駆動電圧と同じ周波数で、前記駆動電圧に対してある位相差でスイッチングする第１制御部と、
を備えることを特徴とするワイヤレス給電装置。
【請求項２】
ワイヤレス受電装置に対して、電界、磁界、電磁界のいずれかを含む電力信号を送信するワイヤレス給電装置であって、
送信コイルを含む送信アンテナと、
前記送信アンテナとカップリングされる自動チューニング補助回路と、
前記送信アンテナおよび前記自動チューニング補助回路の両端間に交流の駆動電圧を印加する電源と、
を備え、
前記自動チューニング補助回路は、
第１端子と、
第２端子と、
前記第１端子と前記第２端子の間に直列に設けられた、第１スイッチおよび第１補助キャパシタと、
前記第１端子と前記第２端子の間に、前記第１スイッチおよび前記第１補助キャパシタに対して並列に設けられた第２スイッチと、
前記第１スイッチおよび前記第２スイッチを、前記駆動電圧に応じた周波数で、前記駆動電圧と同期してスイッチングする第１制御部と、
を備えることを特徴とするワイヤレス給電装置。
【請求項３】
ワイヤレス受電装置に対して、電界、磁界、電磁界のいずれかを含む電力信号を送信するワイヤレス給電装置であって、
送信コイルを含む送信アンテナと、
前記送信アンテナとカップリングされる自動チューニング補助回路と、
前記送信アンテナおよび前記自動チューニング補助回路の両端間に交流の駆動電圧を印加する電源と、
を備え、
前記自動チューニング補助回路は、
第１端子と、
第２端子と、
前記第１端子と前記第２端子の間に直列に設けられた、第１スイッチおよび第１補助キャパシタと、
前記第１端子と前記第２端子の間に、前記第１スイッチおよび前記第１補助キャパシタに対して並列に設けられた第２スイッチと、
前記第１スイッチおよび前記第２スイッチを、前記駆動電圧に応じた周波数で、疑似共振状態に近づくようにスイッチングする第１制御部と、
を備えることを特徴とするワイヤレス給電装置。
【請求項４】
ワイヤレス受電装置に対して、電界、磁界、電磁界のいずれかを含む電力信号を送信するワイヤレス給電装置であって、
送信コイルを含む送信アンテナと、
前記送信アンテナとカップリングされる自動チューニング補助回路と、
前記送信アンテナおよび前記自動チューニング補助回路の両端間に交流の駆動電圧を印加する電源と、
を備え、
前記自動チューニング補助回路は、
第１端子と、
第２端子と、
前記第１端子と前記第２端子の間に直列に設けられた、第１スイッチおよび第１補助キャパシタと、
前記第１端子と前記第２端子の間に、前記第１スイッチおよび前記第１補助キャパシタに対して並列に設けられた第２スイッチと、
前記第１スイッチおよび前記第２スイッチを、前記駆動電圧に応じた周波数で、前記駆動電圧との位相関係を保ちながらスイッチングする第１制御部と、
を備えることを特徴とするワイヤレス給電装置。
【請求項５】
ワイヤレス受電装置に対して、電界、磁界、電磁界のいずれかを含む電力信号を送信するワイヤレス給電装置であって、
送信コイルを含む送信アンテナと、
前記送信アンテナとカップリングされる自動チューニング補助回路と、
前記送信アンテナおよび前記自動チューニング補助回路の両端間に交流の駆動電圧を印加する電源と、
を備え、
前記自動チューニング補助回路は、
第１端子と、
第２端子と、
前記第１端子と前記第２端子の間に直列に設けられた、第１スイッチおよび第１補助キャパシタと、
前記第１端子と前記第２端子の間に、前記第１スイッチおよび前記第１補助キャパシタに対して並列に設けられた第２スイッチと、
前記第１スイッチおよび前記第２スイッチを前記駆動電圧に応じた周波数でスイッチングすることにより、前記第１補助キャパシタの両端間にキャパシタ電圧を発生させるとともに、前記第１補助キャパシタのキャパシタ電圧に応じた補正電圧を、前記送信コイルに印加せしめる第１制御部と、
を備えることを特徴とするワイヤレス給電装置。
【請求項６】
前記第１制御部は、前記第１スイッチおよび前記第２スイッチを、前記駆動電圧と同じ周波数、その奇数倍または奇数分の１倍の周波数でスイッチングすることを特徴とする請求項２から５のいずれかに記載のワイヤレス給電装置。
【請求項７】
前記自動チューニング補助回路は、前記第１端子と前記第２端子の間に、前記第２スイッチと直列に設けられた第２補助キャパシタをさらに含むことを特徴とする請求項１から５のいずれかに記載のワイヤレス給電装置。
【請求項８】
前記第１スイッチ、前記第２スイッチは、片方向スイッチで構成され、
前記第１制御部は、前記第１スイッチおよび前記第２スイッチを、それぞれの逆導通素子に電流が流れない位相でスイッチングすることを特徴とする請求項１から７のいずれかに記載のワイヤレス給電装置。
【請求項９】
前記第１スイッチ、前記第２スイッチは、双方向スイッチで構成されることを特徴とする請求項１から７のいずれかに記載のワイヤレス給電装置。
【請求項１０】
前記自動チューニング補助回路は、トランスを介して前記送信アンテナと直列にカップリングされることを特徴とする請求項１から９のいずれかに記載のワイヤレス給電装置。
【請求項１１】
前記電源は、
直流電源と、
前記直流電源の出力端子と固定電圧端子の間に順に直列に設けられた第１ハイサイドスイッチおよび第１ローサイドスイッチと、
を含み、
前記送信アンテナおよび前記自動チューニング補助回路は、前記第１ハイサイドスイッチおよび前記第１ローサイドスイッチの接続点と前記固定電圧端子との間に直列にカップリングされることを特徴とする請求項１から１０のいずれかに記載のワイヤレス給電装置。
【請求項１２】
前記電源は、
直流電源と、
前記直流電源の出力端子と固定電圧端子の間に順に直列に設けられた第１ハイサイドスイッチおよび第１ローサイドスイッチと、
前記直流電源の出力端子と前記固定電圧端子の間に順に直列に設けられた第２ハイサイドスイッチおよび第２ローサイドスイッチと、
を含み、
前記送信アンテナおよび前記自動チューニング補助回路は、前記第１ハイサイドスイッチおよび前記第１ローサイドスイッチの接続点と、前記第２ハイサイドスイッチおよび前記第２ローサイドスイッチの接続点との間に直列にカップリングされることを特徴とする請求項１から１０のいずれかに記載のワイヤレス給電装置。
【請求項１３】
前記送信アンテナは、前記送信コイルと直列に設けられた共振用キャパシタを含むことを特徴とする請求項１から１２のいずれかに記載のワイヤレス給電装置。
【請求項１４】
前記電源は、前記送信アンテナおよび前記自動チューニング補助回路の両端間に、トランスを介して交流の駆動電圧を印加することを特徴とする請求項１から１３のいずれかに記載のワイヤレス給電装置。
【請求項１５】
請求項１から１４のいずれかに記載のワイヤレス給電装置と、
前記ワイヤレス給電装置からの電力信号を受信するワイヤレス受電装置と、
を備えることを特徴とするワイヤレス給電システム。
【請求項１６】
ワイヤレス給電装置から送信される電界、磁界、電磁界のいずれかを含む電力信号を受信するワイヤレス受電装置であって、
受信コイルを含む受信アンテナと、
前記受信アンテナとカップリングされる自動チューニング補助回路と、
を備え、
前記自動チューニング補助回路は、
第１端子と、
第２端子と、
前記第１端子と前記第２端子の間に直列に設けられた、第３スイッチおよび第３補助キャパシタと、
前記第１端子と前記第２端子の間に、前記第３スイッチおよび前記第３補助キャパシタに対して並列に設けられた第４スイッチと、
前記第３スイッチおよび前記第４スイッチを、前記電力信号と同じ周波数で、前記ワイヤレス給電装置において送信アンテナに印加される駆動電圧に対してある位相差でスイッチングする第２制御部と、
を備えることを特徴とするワイヤレス受電装置。
【請求項１７】
ワイヤレス給電装置から送信される電界、磁界、電磁界のいずれかを含む電力信号を受信するワイヤレス受電装置であって、
受信コイルを含む受信アンテナと、
前記受信アンテナとカップリングされる自動チューニング補助回路と、
を備え、
前記自動チューニング補助回路は、
第１端子と、
第２端子と、
前記第１端子と前記第２端子の間に直列に設けられた、第３スイッチおよび第３補助キャパシタと、
前記第１端子と前記第２端子の間に、前記第３スイッチおよび前記第３補助キャパシタに対して並列に設けられた第４スイッチと、
前記第３スイッチおよび前記第４スイッチを、前記電力信号に応じた周波数で、前記ワイヤレス給電装置において送信アンテナに印加される駆動電圧と同期してスイッチングする第２制御部と、
を備えることを特徴とするワイヤレス受電装置。
【請求項１８】
ワイヤレス給電装置から送信される電界、磁界、電磁界のいずれかを含む電力信号を受信するワイヤレス受電装置であって、
受信コイルを含む受信アンテナと、
前記受信アンテナとカップリングされる自動チューニング補助回路と、
を備え、
前記自動チューニング補助回路は、
第１端子と、
第２端子と、
前記第１端子と前記第２端子の間に直列に設けられた、第３スイッチおよび第３補助キャパシタと、
前記第１端子と前記第２端子の間に、前記第３スイッチおよび前記第３補助キャパシタに対して並列に設けられた第４スイッチと、
前記第３スイッチおよび前記第４スイッチを、前記電力信号に応じた周波数で、疑似共振状態に近づくようにスイッチングする第２制御部と、
を備えることを特徴とするワイヤレス受電装置。
【請求項１９】
ワイヤレス給電装置から送信される電界、磁界、電磁界のいずれかを含む電力信号を受信するワイヤレス受電装置であって、
受信コイルを含む受信アンテナと、
前記受信アンテナとカップリングされる自動チューニング補助回路と、
を備え、
前記自動チューニング補助回路は、
第１端子と、
第２端子と、
前記第１端子と前記第２端子の間に直列に設けられた、第３スイッチおよび第３補助キャパシタと、
前記第１端子と前記第２端子の間に、前記第３スイッチおよび前記第３補助キャパシタに対して並列に設けられた第４スイッチと、
前記第３スイッチおよび前記第４スイッチを、前記電力信号に応じた周波数で、前記ワイヤレス給電装置において送信アンテナに印加される駆動電圧との位相関係を保ちながらスイッチングする第２制御部と、
を備えることを特徴とするワイヤレス受電装置。
【請求項２０】
ワイヤレス給電装置から送信される電界、磁界、電磁界のいずれかを含む電力信号を受信するワイヤレス受電装置であって、
受信コイルを含む受信アンテナと、
前記受信アンテナとカップリングされる自動チューニング補助回路と、
を備え、
前記自動チューニング補助回路は、
第１端子と、
第２端子と、
前記第１端子と前記第２端子の間に直列に設けられた、第３スイッチおよび第３補助キャパシタと、
前記第１端子と前記第２端子の間に、前記第３スイッチおよび前記第３補助キャパシタに対して並列に設けられた第４スイッチと、
前記第３スイッチおよび前記第４スイッチを前記電力信号に応じた周波数でスイッチングすることにより、前記第３補助キャパシタの両端間にキャパシタ電圧を発生させるとともに、前記第３補助キャパシタのキャパシタ電圧に応じた補正電圧を、前記受信コイルに印加せしめる第２制御部と、
を備えることを特徴とするワイヤレス受電装置。
【請求項２１】
前記第２制御部は、前記第３スイッチおよび前記第４スイッチを、前記電力信号と同じ周波数、その奇数倍または奇数分の１倍の周波数でスイッチングすることを特徴とする請求項１７から２０のいずれかに記載のワイヤレス受電装置。
【請求項２２】
前記自動チューニング補助回路は、前記第１端子と前記第２端子の間に、前記第４スイッチと直列に設けられた第４補助キャパシタをさらに備えることを特徴とする請求項１６から２１のいずれかに記載のワイヤレス受電装置。
【請求項２３】
前記第３スイッチ、前記第４スイッチは、片方向スイッチで構成され、
前記第２制御部は、前記第３スイッチおよび前記第４スイッチを、それぞれの逆導通素子に電流が流れない位相でスイッチングすることを特徴とする請求項１６から２２のいずれかに記載のワイヤレス受電装置。
【請求項２４】
前記第３スイッチ、前記第４スイッチは、双方向スイッチで構成されることを特徴とする請求項１６から２２のいずれかに記載のワイヤレス受電装置。
【請求項２５】
電力を供給すべき負荷は、前記第３補助キャパシタに接続されることを特徴とする請求項１６から２４のいずれかに記載のワイヤレス受電装置。
【請求項２６】
電力を供給すべき負荷は、前記受信アンテナの第１端に接続されることを特徴とする請求項１６から２４のいずれかに記載のワイヤレス受電装置。
【請求項２７】
その１次巻線が前記受信アンテナと直列に設けられたトランスをさらに備え、
電力を供給すべき負荷は、前記トランスの２次巻線に接続されることを特徴とする請求項１６から２４のいずれかに記載のワイヤレス受電装置。
【請求項２８】
前記自動チューニング補助回路は、トランスを介して前記受信アンテナと直列にカップリングされることを特徴とする請求項１６から２７のいずれかに記載のワイヤレス受電装置。
【請求項２９】
前記受信アンテナは、前記受信コイルと直列に設けられた共振用キャパシタを含むことを特徴とする請求項１６から２８のいずれかに記載のワイヤレス受電装置。
【請求項３０】
電界、磁界、電磁界のいずれかを含む電力信号を送信するワイヤレス給電装置と、
前記電力信号を受信する請求項１６から２９のいずれかに記載のワイヤレス受電装置と、
を備えることを特徴とするワイヤレス給電システム。
【請求項３１】
請求項１から１４のいずれかに記載のワイヤレス給電装置と、
前記ワイヤレス給電装置からの前記電力信号を受信する請求項１６から２９のいずれかに記載のワイヤレス受電装置と、
を備えることを特徴とするワイヤレス給電システム。
【請求項３２】
ワイヤレス受電装置に対して、送信コイルから電界、磁界、電磁界のいずれかを含む電力信号を送信するワイヤレス給電装置に使用され、前記送信コイルとカップリングされる自動チューニング補助回路であって、
第１端子と、
第２端子と、
前記第１端子と前記第２端子の間に直列に設けられた、第１スイッチおよび第１補助キャパシタと、
前記第１端子と前記第２端子の間に、前記第１スイッチおよび前記第１補助キャパシタに対して並列に設けられた第２スイッチと、
前記第１スイッチおよび前記第２スイッチをスイッチングすることにより、前記第１補助キャパシタの両端間にキャパシタ電圧を発生させるとともに、前記第１補助キャパシタのキャパシタ電圧に応じた補正電圧を、前記送信コイルに印加せしめる第１制御部と、
を備えることを特徴とする自動チューニング補助回路。
【請求項３３】
ワイヤレス受電装置に対して、電界、磁界、電磁界のいずれかを含む電力信号を送信するワイヤレス給電装置であって、
送信コイルを含む送信アンテナと、
前記送信アンテナとカップリングされる請求項３２に記載の自動チューニング補助回路と、
前記送信アンテナおよび前記自動チューニング補助回路の両端間に交流の駆動電圧を印加する電源と、
を備えることを特徴とするワイヤレス給電装置。
【請求項３４】
ワイヤレス給電装置から送信される電界、磁界、電磁界のいずれかを含む電力信号を受信コイルにより受信するワイヤレス受電装置に使用され、前記受信コイルとカップリングされる自動チューニング補助回路であって、
第１端子と、
第２端子と、
前記第１端子と前記第２端子の間に直列に設けられた、第３スイッチおよび第３補助キャパシタと、
前記第１端子と前記第２端子の間に、前記第３スイッチおよび前記第３補助キャパシタに対して並列に設けられた第４スイッチと、
前記第３スイッチおよび前記第４スイッチをスイッチングすることにより、前記第３補助キャパシタの両端間にキャパシタ電圧を発生させるとともに、前記第３補助キャパシタのキャパシタ電圧に応じた補正電圧を、前記受信コイルに印加せしめる第２制御部と、
を備えることを特徴とする自動チューニング補助回路。
【請求項３５】
ワイヤレス給電装置から送信される電界、磁界、電磁界のいずれかを含む電力信号を受信するワイヤレス受電装置であって、
受信コイルを含む受信アンテナと、
前記受信アンテナとカップリングされる請求項３４に記載の自動チューニング補助回路と、
を備えることを特徴とするワイヤレス受電装置。
【発明の詳細な説明】
【技術分野】
【０００１】
本発明は、ワイヤレス給電技術に関する。
【背景技術】
【０００２】
近年、携帯電話端末やノート型コンピュータなどの電子機器、あるいは電気自動車に対する給電技術として、ワイヤレス（非接触）電力伝送が着目されている。ワイヤレス送電は、主に電磁誘導型、電波受信型、電場・磁場共鳴型、の３つに分類される。【０００３】
電磁誘導型は短距離（数ｃｍ以内）において利用され、数百ｋＨｚ以下の帯域で数百Ｗの電力を伝送することができる。電力の利用効率は６０〜９８％程度となっている。
数ｍ以上の比較的長い距離に給電する場合、電波受信型が利用される。電波受信型では、中波〜マイクロ波の帯域で数Ｗ以下の電力を伝送することができるが、電力の利用効率は低い。数ｍ程度の中距離を、比較的高い効率で給電する手法として、電場・磁場共鳴型が着目されている（非特許文献１参照）。
【先行技術文献】
【非特許文献】
【０００４】
【非特許文献１】A. Karalis, J.D. Joannopoulos, M. Soljacic、「Efficient wireless non-radiative mid-range energy transfer」、ANNALS of PHYSICS Vol. 323, pp.34-48, 2008, Jan.
【発明の概要】
【発明が解決しようとする課題】
【０００５】
図１は、比較技術に係るワイヤレス送電システムを示す図である。ワイヤレス送電システム１ｒは、ワイヤレス給電装置２ｒおよびワイヤレス受電装置４ｒを備える。ワイヤレス給電装置２ｒは、送信コイルＬＴＸ、共振用キャパシタＣＴＸ、交流電源１０ｒを備える。ワイヤレス受電装置４ｒは、受信コイルＬＲＸ、共振用キャパシタＣＲＸ、負荷７０を備える。【０００６】
磁場（電場）共鳴型の電力伝送において重要となるのが共振周波数である。送信側のＬＣ共振回路の共振周波数は、ｆＴＸ＝１／（２π√（ＬＴＸ・ＣＴＸ））、受信側の共振周波数は、ｆＲＸ＝１／（２π√（ＬＲＸ・ＣＲＸ））であり、送受信双方の共振周波数と、交流電源１０ｒの周波数を適切に調節しなければ、効率よく電力伝送が行えない。ところが現実的には、さまざまな要因によって共振周波数は変動する。この変動した共振周波数を、受電装置側において、給電装置から伝送されてくる磁界（電界）そのものにもとづいてチューニングすることは難しい。なぜなら、受電装置側で検出される共振周波数は、受電装置側の共振周波数や位相の状態に応じてさらに変動する可能性があるからである。【０００７】
本発明は係る課題に鑑みてなされたものであり、そのある態様の例示的な目的のひとつは、共振周波数を自動的にチューニング可能なワイヤレス給電装置、受電装置および給電システムの提供にある。
【課題を解決するための手段】
【０００８】
本発明のある態様は、ワイヤレス受電装置に対して、電界、磁界、電磁界のいずれかを含む電力信号を送信するワイヤレス給電装置に関する。ワイヤレス給電装置は、送信コイルを含む送信アンテナと、送信アンテナとカップリングされる自動チューニング補助回路と、送信アンテナおよび自動チューニング補助回路の両端間に交流の駆動電圧を印加する電源と、を備える。自動チューニング補助回路は、第１端子と、第２端子と、Ｎ個（Ｎは自然数）の補助キャパシタと、複数のスイッチと、第１制御部と、を備える。複数のスイッチはそれぞれ、第１端子、第２端子、Ｎ個の補助キャパシタの端子のうち２つの間に設けられる。第１制御部は、複数のスイッチそれぞれを、駆動電圧と同期してスイッチングする。【０００９】
駆動電圧の周波数が、送信アンテナを含む共振回路の共振周波数と一致しない場合、共振回路は容量性または誘導性となるため、送信アンテナには、駆動電圧に対して遅れたあるいは進んだ位相の共振電流が発生する。この状態で第１スイッチおよび第２スイッチを、駆動電圧と同期して、ある位相差でスイッチングすると、第１補助キャパシタは、共振電流と駆動電圧が同位相となるように充電もしくは放電される。そして第１補助キャパシタに生ずる補正電圧が、送信アンテナに印加されることにより、擬似的な共振状態を実現できる。この態様によれば、共振用キャパシタの容量値の調節などを行わなくても、送信アンテナを駆動電圧に対して自動的にチューニングすることができる。なお、本明細書において「位相差」はゼロ、すなわち同相の場合も含む。【００１０】
第１制御部は、複数のスイッチそれぞれを、駆動電圧と同じ周波数、その奇数倍または奇数分の１倍の周波数でスイッチングしてもよい。【００１１】
自動チューニング補助回路は、第１端子と第２端子の間に直列に設けられた、第１スイッチおよび第１補助キャパシタと、第１端子と第２端子の間に第１スイッチおよび第１補助キャパシタに対して並列に設けられた第２スイッチと、含んでもよい。【００１２】
第１制御部は、第１スイッチおよび第２スイッチを、駆動電圧と同じ周波数で、かつ駆動電圧に対してある位相差で相補的にスイッチングしてもよい。【００１３】
ある態様において自動チューニング補助回路は、第１端子と第２端子の間に、第２スイッチと直列に設けられた第２補助キャパシタをさらに含んでもよい。
この場合、第１補助キャパシタに加えて、第２補助キャパシタが、共振電流と駆動電圧が同位相となるように充電もしくは放電されることになり、擬似的な共振状態を実現できる。【００１４】
第１制御部は、第１スイッチおよび第２スイッチを、駆動電圧と同じ周波数で、かつ駆動電圧に対してある位相差で相補的にスイッチングしてもよい。【００１５】
第１スイッチ、第２スイッチは、片方向スイッチで構成されてもよい。第１制御部は、第１スイッチおよび第２スイッチを、それぞれの逆導通素子に電流が流れない位相でスイッチングしてもよい。【００１６】
第１スイッチ、第２スイッチは、双方向スイッチで構成されてもよい。この場合、スイッチングの位相の制約を緩和できる。【００１７】
自動チューニング補助回路は、トランスを介して送信アンテナと直列にカップリングされてもよい。【００１８】
ある態様において、電源は、直流電源と、直流電源の出力端子と固定電圧端子の間に順に直列に設けられた第１ハイサイドスイッチおよび第１ローサイドスイッチと、を含んでもよい。送信アンテナおよび自動チューニング補助回路は、第１ハイサイドスイッチおよび第１ローサイドスイッチの接続点と固定電圧端子との間に直列にカップリングされてもよい。【００１９】
ある態様において、電源は、直流電源と、直流電源の出力端子と固定電圧端子の間に順に直列に設けられた第１ハイサイドスイッチおよび第１ローサイドスイッチと、直流電源の出力端子と固定電圧端子の間に順に直列に設けられた第２ハイサイドスイッチおよび第２ローサイドスイッチと、を含んでもよい。送信アンテナおよび自動チューニング補助回路は、第１ハイサイドスイッチおよび第１ローサイドスイッチの接続点と、第２ハイサイドスイッチおよび第２ローサイドスイッチの接続点との間に直列にカップリングされてもよい。【００２０】
送信アンテナは、送信コイルと直列に設けられた共振用キャパシタを含んでもよい。【００２１】
電源は、送信アンテナおよび自動チューニング補助回路の両端間に、トランスを介して交流の駆動電圧を印加してもよい。【００２２】
本発明の別の態様は、ワイヤレス給電システムに関する。ワイヤレス給電システムは、上述のいずれかの態様のワイヤレス給電装置と、ワイヤレス給電装置からの電力信号を受信するワイヤレス受電装置と、を備える。【００２３】
本発明の別の態様は、ワイヤレス給電装置から送信される電界、磁界、電磁界のいずれかを含む電力信号を受信するワイヤレス受電装置に関する。ワイヤレス受電装置は、受信コイルを含む受信アンテナと、受信アンテナとカップリングされる自動チューニング補助回路と、を備える。自動チューニング補助回路は、第１端子と、第２端子と、Ｎ個（Ｎは自然数）の補助キャパシタと、複数のスイッチと、第２制御部と、を備える。複数のスイッチはそれぞれ、第１端子、第２端子、Ｎ個の補助キャパシタの端子のうち２つの間に設けられる。第２制御部は、複数のスイッチそれぞれをスイッチングする。【００２４】
電力信号の周波数が、受信アンテナを含む共振回路の共振周波数と一致しない場合、共振回路は容量性または誘導性となるため、共振回路に流れる共振電流と共振回路に生ずる共振電圧の間には、位相遅れあるいは位相進みが生ずる。この状態で第３スイッチおよび第４スイッチを、電力信号と同じ周波数でスイッチングすると、第３補助キャパシタは、共振電流と共振電圧が同位相となるように充電もしくは放電される。そして第３補助キャパシタに生ずる補正電圧が、受信アンテナに印加されることにより、擬似的な共振状態を実現できる。この態様によれば、共振用キャパシタの容量値の調節などを行わなくても、受信アンテナを電力信号に対して自動的にチューニングすることができる。【００２５】
第２制御部は、複数のスイッチそれぞれを、電力信号と同じ周波数、その奇数倍または奇数分の１倍の周波数でスイッチングしてもよい。【００２６】
自動チューニング補助回路は、第１端子と第２端子の間に直列に設けられた、第３スイッチおよび第３補助キャパシタと、第１端子と第２端子の間に、第３スイッチおよび第３補助キャパシタに対して並列に設けられた第４スイッチと、を含んでもよい。【００２７】
第２制御部は、第３スイッチおよび第４スイッチを電力信号と同じ周波数で相補的にスイッチングしてもよい。
第２制御部は、ワイヤレス給電装置において送信アンテナに印加される駆動電圧に対して、所定の位相差で第３スイッチおよび第４スイッチを駆動してもよい。【００２８】
ある態様において自動チューニング補助回路は、第１端子と第２端子の間に、第４スイッチと直列に設けられた第４補助キャパシタをさらに備えてもよい。
この場合、第３補助キャパシタに加えて、第４補助キャパシタが、共振電流と駆動電圧が同位相となるように充電もしくは放電され、擬似的な共振状態を実現できる。【００２９】
第３スイッチ、第４スイッチは、片方向スイッチで構成されてもよい。第２制御部は、第３スイッチおよび第４スイッチを、それぞれの逆導通素子に電流が流れない位相でスイッチングしてもよい。【００３０】
第３スイッチ、第４スイッチは、双方向スイッチで構成されてもよい。この場合、スイッチングの位相の制約を緩和できる。【００３１】
電力を供給すべき負荷は、第３補助キャパシタに接続されてもよいし、受信アンテナの第１端に接続されてもよい。
ある態様のワイヤレス受電装置は、その１次巻線が受信アンテナと直列に設けられたトランスをさらに備えてもよい。電力を供給すべき負荷は、トランスの２次巻線に接続されてもよい。【００３２】
自動チューニング補助回路は、トランスを介して受信アンテナと直列にカップリングされてもよい。【００３３】
受信アンテナは、受信コイルと直列に設けられた共振用キャパシタを含んでもよい。【００３４】
本発明の別の態様は、ワイヤレス給電システムに関する。このワイヤレス給電システムは、電界、磁界、電磁界のいずれかを含む電力信号を送信するワイヤレス給電装置と、電力信号を受信する上述のいずれかの態様のワイヤレス受電装置と、を備えてもよい。【００３５】
本発明の別の態様は、ワイヤレス給電装置に使用され、送信コイルとカップリングされる自動チューニング補助回路に関する。自動チューニング補助回路は、少なくともひとつの補助キャパシタと、送信コイルに流れる共振電流によって少なくともひとつの補助キャパシタそれぞれを充電および放電するために設けられた複数のスイッチと、複数のスイッチをスイッチングすることにより、少なくともひとつの補助キャパシタそれぞれの両端間にキャパシタ電圧を発生させるとともに、少なくともひとつの補助キャパシタそれぞれのキャパシタ電圧に応じた補正電圧を、送信コイルに印加せしめる第１制御部と、を備える。
自動チューニング補助回路を設けることで、擬似的な共振状態を実現でき、共振用キャパシタの容量値の調節などを行わなくても、送信アンテナを駆動電圧に対して自動的にチューニングすることができる。【００３６】
本発明の別の態様は、ワイヤレス受電装置に使用され、受信コイルとカップリングされる自動チューニング補助回路に関する。自動チューニング補助回路は、少なくともひとつの補助キャパシタと、受信コイルに流れる共振電流によって少なくともひとつの補助キャパシタそれぞれを充電および放電するために設けられた複数のスイッチと、複数のスイッチをスイッチングすることにより、少なくともひとつの補助キャパシタそれぞれの両端間にキャパシタ電圧を発生させるとともに、少なくともひとつの補助キャパシタそれぞれのキャパシタ電圧に応じた補正電圧を、受信コイルに印加せしめる第２制御部と、を備える。
自動チューニング補助回路を設けることで、擬似的な共振状態を実現でき、共振用キャパシタの容量値の調節などを行わなくても、受信アンテナを電力信号に対して自動的にチューニングすることができる。【００３７】
なお、以上の構成要素の任意の組み合わせや本発明の構成要素や表現を、方法、装置、システムなどの間で相互に置換したものもまた、本発明の態様として有効である。
【発明の効果】
【００３８】
本発明のある態様によれば、共振周波数を自動的にチューニングできる。
【図面の簡単な説明】
【００３９】
【図１】比較技術に係るワイヤレス送電システムを示す図である。
【図２】第１の実施の形態に係るワイヤレス給電装置の構成を示す回路図である。
【図３】図３（ａ）〜（ｆ）は、ＭＯＳＦＥＴを用いたスイッチの構成例を示す図である。
【図４】図２のワイヤレス給電装置の動作を示す波形図である。
【図５】図２のワイヤレス給電装置の等価回路図である。
【図６】図６（ａ）は、自動チューニング補助回路を動作させない状態、図６（ｂ）は、自動チューニング補助回路を動作させたときの波形図である。
【図７】ｆｃ＜ｆＴＸの場合の、自動チューニング補助回路による疑似共振状態を説明するフェーザ図である。
【図８】非共振状態および共振状態における共振電流を示す図である。
【図９】ｆｃ＞ｆＴＸの場合の、自動チューニング補助回路による疑似共振状態を説明するフェーザ図である。
【図１０】第１の変形例に係るワイヤレス給電装置の構成を示す回路図である。
【図１１】第２の変形例に係るワイヤレス給電装置の構成を示す回路図である。
【図１２】第３の変形例に係るワイヤレス給電装置の構成を示す回路図である。
【図１３】図１３（ａ）、（ｂ）は、それぞれ第４、第５の変形例に係るワイヤレス給電装置の構成を示す回路図である。
【図１４】第１の実施の形態に係るワイヤレス受電装置の構成を示す回路図である。
【図１５】図１４のワイヤレス受電装置の等価回路図である。
【図１６】図１４のワイヤレス受電装置の動作を示す波形図である。
【図１７】図１７（ａ）、（ｂ）は、第１、第２の変形例に係るワイヤレス受電装置の構成を示す回路図である。
【図１８】第３の変形例に係るワイヤレス受電装置の構成を示す回路図である。
【図１９】図１９（ａ）、（ｂ）はそれぞれ、第４、第５の変形例に係るワイヤレス受電装置の構成を示す回路図である。
【図２０】第１の実施の形態に係るワイヤレス送電システムの構成例を示す回路図である。
【図２１】図２０のワイヤレス送電システムの動作を示す波形図である。
【図２２】第２の実施の形態に係るワイヤレス給電装置の構成を示す回路図である。
【図２３】図２２のワイヤレス給電装置の動作を示す波形図である。
【図２４】第１の変形例に係るワイヤレス給電装置の構成を示す回路図である。
【図２５】図２５（ａ）〜（ｃ）は、それぞれ第２〜第４の変形例に係るワイヤレス給電装置の構成を示す回路図である。
【図２６】第２の実施の形態に係るワイヤレス受電装置の構成を示す回路図である。
【図２７】図２６のワイヤレス受電装置の動作を示す波形図である。
【図２８】図２８（ａ）、（ｂ）は、第２、第３の変形例に係るワイヤレス受電装置の構成を示す回路図であり、図２８（ｃ）、（ｄ）は、負荷の構成例を示す回路図である。
【図２９】第３の変形例に係るワイヤレス受電装置の構成を示す回路図である。
【発明を実施するための形態】
【００４０】
以下、本発明を好適な実施の形態をもとに図面を参照しながら説明する。各図面に示される同一または同等の構成要素、部材、処理には、同一の符号を付するものとし、適宜重複した説明は省略する。また、実施の形態は、発明を限定するものではなく例示であって、実施の形態に記述されるすべての特徴やその組み合わせは、必ずしも発明の本質的なものであるとは限らない。
【００４１】
本明細書において、「部材Ａが、部材Ｂと接続された状態」、あるいは「部材Ａが、部材Ｂとカップリングされた状態」とは、部材Ａと部材Ｂが物理的に直接的に接続される場合のほか、部材Ａと部材Ｂが、それらの電気的な接続状態に実質的な影響を及ぼさない、あるいはそれらの結合により奏される機能や効果を損なわせない、その他の部材を介して間接的に接続される場合も含む。
同様に、「部材Ｃが、部材Ａと部材Ｂの間に設けられた状態」とは、部材Ａと部材Ｃ、あるいは部材Ｂと部材Ｃが直接的に接続される場合のほか、それらの電気的な接続状態に実質的な影響を及ぼさない、あるいはそれらの結合により奏される機能や効果を損なわせない、その他の部材を介して間接的に接続される場合も含む。
【００４２】
（第１の実施の形態）
（ワイヤレス給電装置）
図２は、第１の実施の形態に係るワイヤレス給電装置２の構成を示す回路図である。ワイヤレス給電装置２は、ワイヤレス受電装置（不図示）に対して電力信号Ｓ１を送出する。電力信号Ｓ１は、電波になっていない電磁波の近傍界（電界、磁界、あるいは電磁界）が利用される。
【００４３】
ワイヤレス給電装置２は、電源１０、送信アンテナ２０、自動チューニング補助回路３０、第１制御部４０を備える。
【００４４】
送信アンテナ２０は、その第１端２１とその第２端２２の間に設けられた送信コイルＬＴＸを含む。共振用キャパシタＣＴＸは、送信コイルＬＴＸと直列に設けられる。共振用キャパシタＣＴＸと送信コイルＬＴＸは入れかえてもよい。
【００４５】
自動チューニング補助回路３０は、送信アンテナ２０と直列にカップリングされる。電源１０は、送信アンテナ２０および自動チューニング補助回路３０の両端間に、所定の送信周波数ｆＴＸを有する交流の駆動電圧ＶＤＲＶを印加する。駆動電圧ＶＤＲＶは、矩形波、台形波、正弦波をはじめとする任意の交流波形であって構わない。本実施の形態では、駆動電圧ＶＤＲＶは、第１電圧レベル（電源電圧ＶＤＤ）と第２電圧レベル（接地電圧ＶＧＮＤ＝０Ｖ）でスイングする矩形波であるものとする。
【００４６】
電源１０は、直流電源１２、第１ハイサイドスイッチＳＷＨ１、第１ローサイドスイッチＳＷＬ１を含む。直流電源１２は、直流の電源電圧ＶＤＤを生成する。第１ハイサイドスイッチＳＷＨ１および第１ローサイドスイッチＳＷＬ１は、直流電源１２の出力端子と固定電圧端子（接地端子）の間に順に直列に設けられる。第１制御部４０は、第１ハイサイドスイッチＳＷＨ１および第１ローサイドスイッチＳＷＬ１を、送信周波数ｆＴＸで相補的にスイッチングする。
【００４７】
自動チューニング補助回路３０は、第１端子３１、第２端子３２、第１スイッチＳＷ１、第２スイッチＳＷ２、第１補助キャパシタＣＡ１を備える。
【００４８】
第１スイッチＳＷ１および第１補助キャパシタＣＡ１は、第１端子３１および第２端子３２の間に直列に設けられる。第１スイッチＳＷ１と第１補助キャパシタＣＡ１は入れかえてもよい。第２スイッチＳＷ２は、第１端子３１と第２端子３２の間に、第１スイッチＳＷ１および第１補助キャパシタＣＡ１に対して並列に設けられる。第１補助キャパシタＣＡ１の容量値は、共振用キャパシタＣＴＸに比べて十分に大きいことが望ましい。
【００４９】
第１制御部４０は、第１スイッチＳＷ１および第２スイッチＳＷ２を、駆動電圧ＶＤＲＶと同じ周波数ｆＴＸで、かつ駆動電圧ＶＤＲＶに対してある位相差θＴＸで相補的にスイッチングする。好ましくは位相差θＴＸは、＋９０°もしくは−９０°（２７０°）付近であってもよい。すなわち第１制御部４０の一部は、自動チューニング補助回路３０を構成する。
【００５０】
第１スイッチＳＷ１、第２スイッチＳＷ２は、ＭＯＳＦＥＴ（Metal Oxide Semiconductor Field Effect Transistor）、ＩＧＢＴ（Insulated Gate Bipolar Transistor）、バイポーラトランジスタ等を用いて構成できる。図３（ａ）、（ｂ）は、ＭＯＳＦＥＴを用いたスイッチの構成例を示す図である。
【００５１】
図３（ａ）は、Ｎチャンネル、図３（ｂ）は、ＰチャンネルのＭＯＳＦＥＴを用いた構成を示す。ＭＯＳＦＥＴのバックゲートをソースと接続すると、バックゲートとドレイン間のボディダイオードがゲート電圧によらずに導通状態となる。したがって、ＭＯＳＦＥＴを単体で用いたスイッチでは、片方向に対する電流を阻止することができない。本明細書においてこのようなスイッチを片方向スイッチという。
【００５２】
図３（ｃ）〜（ｆ）のスイッチは、２つのＮチャンネルＭＯＳＦＥＴ、もしくは２つのＰチャンネルＭＯＳＦＥＴが、それらのボディダイオードが逆向きとなるように接続される（バックトゥバック接続）。図３（ｃ）〜（ｆ）では、オフ状態において、いずれの方向にも電流が流れない。本明細書においてこのようなスイッチを、双方向スイッチという。
【００５３】
本実施の形態において、各スイッチＳＷ１、ＳＷ２は、片方向スイッチ、両方向スイッチのいずれでも構成することができる。なお、片方向スイッチを用いる場合、それらのスイッチングの位相に注意を払う必要がある。これについては後述する。
【００５４】
以上がワイヤレス給電装置２の構成である。続いてその動作を説明する。
【００５５】
スイッチＳＷ１、ＳＷ２はそれぞれ、オフ状態においていずれの方向にも電流を流さない双方向スイッチであるものとする。
【００５６】
図４は、図２のワイヤレス給電装置２の動作を示す波形図である。図４は、上から順に、第１ハイサイドスイッチＳＷＨ１、第１ローサイドスイッチＳＷＬ１、駆動電圧ＶＤＲＶ、第１スイッチＳＷ１、第２スイッチＳＷ２、第１補助キャパシタＣＡ１の電圧ＶＣＡ１、第１端子３１の電圧ＶＡ、送信アンテナ２０に流れる共振電流ＩＴＸ、送信コイルＬＴＸと共振用キャパシタＣＴＸの両端間の共振電圧ＶＴＸを示す。スイッチを示す波形は、ハイレベルがオン状態を、ローレベルがオフ状態を示す。また共振電流ＩＴＸおよび共振電圧ＶＴＸは、自動チューニング補助回路３０を動作させてから十分な時間が経過した後の定常状態における波形を示す。
【００５７】
図４に示すように、第１ハイサイドスイッチＳＷＨ１、第１ローサイドスイッチＳＷＬ１を相補的にスイッチングすることにより、矩形波の駆動電圧ＶＤＲＶが生成され、送信アンテナ２０および自動チューニング補助回路３０の両端間に印加される。第１制御部４０は、駆動電圧ＶＤＲＶと同じ周波数で、かつ駆動電圧ＶＤＲＶに対してθＴＸ（＝９０°）遅れた位相で、第１スイッチＳＷ１および第２スイッチＳＷ２を相補的にスイッチングする。共振電流ＩＴＸは、第１スイッチＳＷ１のオン時間ＴＯＮ１において第１補助キャパシタＣＡ１に流れ、第２スイッチＳＷ２のオン時間ＴＯＮ２において、第２スイッチＳＷ２を介して接地に流れる。つまり、第１補助キャパシタＣＡ１は、共振電流ＩＴＸによって充放電され、その結果、第１補助キャパシタＣＡ１には、キャパシタ電圧ＶＣＡ１が発生する。
【００５８】
自動チューニング補助回路３０は、送信アンテナ２０の第２端２２に補正電圧ＶＡを印加する。補正電圧ＶＡは、第１スイッチＳＷ１がオンの期間ＴＯＮ１において、第１補助キャパシタ電圧ＶＣＡ１をとり、第２スイッチＳＷ２がオンの期間ＴＯＮ２において、接地電圧ＶＧＮＤをとる。自動チューニング補助回路３０は、補正電圧ＶＡを送信アンテナ２０に印加する補正電源と把握することができる。図５は、図２のワイヤレス給電装置２の等価回路図である。
【００５９】
図６（ａ）は、自動チューニング補助回路３０を動作させない状態、図６（ｂ）は、自動チューニング補助回路３０を動作させたときの波形図である。
はじめに図６（ａ）を参照し、自動チューニング補助回路３０を動作させない状態、すなわち第１スイッチＳＷ１をオフで固定し、第２スイッチＳＷ２をオンで固定した状態について説明する。これは、補正電圧ＶＡが接地電圧ＶＧＮＤに固定される状態を示す。
送信アンテナ２０のインピーダンスＺは式（１）で与えられ、その共振周波数ｆｃは式（２）で与えられる。なお、ここでは抵抗成分を無視しているが、実際の回路には直列抵抗が寄与することは言うまでもない。
Ｚ＝ｊωＬＴＸ＋１／（ｊωＣＴＸ）    …（１）
ｆＣ＝１／（２π√（ＬＴＸ・ＣＴＸ））    …（２）
【００６０】
送信アンテナ２０は、駆動電圧ＶＤＲＶの周波数ｆＴＸが共振周波数ｆｃより高い（ｆＴＸ＞ｆｃ）とき誘導性となり、送信アンテナ２０に流れる共振電流ＩＴＸの位相は、駆動電圧ＶＤＲＶの位相に対して遅れる。反対に、周波数ｆＴＸが共振周波数ｆｃより低い（ｆＴＸ＜ｆｃ）とき容量性となり、共振電流ＩＴＸの位相は、駆動電圧ＶＤＲＶに対して進む。
【００６１】
図６（ａ）は、ｆｃ＞ｆＴＸの状態を示しており、共振電流ＩＴＸの位相は、駆動電圧ＶＤＲＶに対して位相差φ進んでいる。φが９０°でないのは、共振回路に直列の抵抗成分（不図示）が存在するためである。非共振状態ではインピーダンスＺが高くなるため、共振電流ＩＴＸの振幅が小さくなる。この状態では大きな電力を伝送することはできない。
【００６２】
続いて、図６（ｂ）を参照し、自動チューニング補助回路３０を動作させたときの動作を説明する。
【００６３】
自動チューニング補助回路３０を動作させると、送信アンテナ２０には駆動電圧ＶＤＲＶに対してθＴＸ＝９０°遅れた位相の補正電圧ＶＡが印加される。その結果、共振電流ＩＴＸの位相が駆動電圧ＶＤＲＶの位相と一致し、擬似的な共振状態となる。これにより、共振電流ＩＴＸの振幅は、非共振状態よりも大きくなる。
【００６４】
図７は、ｆｃ＜ｆＴＸの場合の、自動チューニング補助回路３０による疑似共振状態を説明するフェーザ図（ベクトル図）である。
駆動電圧ＶＤＲＶの位相は０°、補正電圧ＶＡの位相はθＴＸ＝９０°である。ｆｃ＜ｆＴＸにおいて、電流の位相は、電圧に対して位相差φ遅れる。したがって駆動電圧ＶＤＲＶと電流成分ＩＤＲＶの位相差はφであり、補正電圧ＶＡと電流成分ＩＡの位相差もφである。
【００６５】
「重ねの理」によって、共振電流ＩＴＸは、駆動電圧ＶＤＲＶによって誘起される電流成分ＩＤＲＶと、補正電圧ＶＡによって誘起される電流成分ＩＡの和で与えられる。駆動電圧ＶＤＲＶと補正電圧ＶＡは位相差θＴＸ（＝９０°）を有するため、電流成分ＩＤＲＶとＩＡの位相差も９０°となる。補正電圧ＶＡの振幅、言い換えれば電流成分ＩＡの振幅を最適化すれば、２つの電流成分ＩＤＲＶとＩＡの合成電流、すなわち共振電流ＩＴＸの位相を、駆動電圧ＶＤＲＶの位相（０°）と一致させることができ、疑似共振状態が実現できることが分かる。
【００６６】
実施の形態に係るワイヤレス給電装置２の優れた利点のひとつは、疑似共振状態を満足する補正電圧ＶＡを自動的に生成できる点である。
図８は、非共振状態および共振状態における共振電流ＩＴＸを示す図である。波形（Ｉ）は、非共振状態における共振電流ＩＴＸを示す。スイッチＳＷ１がオンの期間ＴＯＮ１において、第１補助キャパシタＣＡ１は、共振電流ＩＴＸによって充放電される。具体的には、第１補助キャパシタＣＡ１は、共振電流ＩＴＸが正の期間に充電され、負の期間に放電される。その結果、正の期間が長ければキャパシタ電圧ＶＣＡ１は増大し、負の期間が長ければキャパシタ電圧ＶＣＡ１は低下する。
【００６７】
あるサイクルのオン時間ＴＯＮ１において、キャパシタ電圧ＶＣＡ１が増大する。そして、増大したキャパシタ電圧ＶＣＡ１に応じた補正電圧ＶＡが送信アンテナ２０に印加される。そうすると、次のサイクルでは、共振電流ＩＴＸの位相が前のサイクルより進む。これを繰り返すと、キャパシタ電圧ＶＣＡ１がサイクル毎に増加しながら、共振電流ＩＴＸの位相が徐々に進んでいき、駆動電圧ＶＤＲＶの位相と一致するポイント（共振点）までシフトしていく。共振電流ＩＴＸの位相が進みすぎると、反対に第１補助キャパシタＣＡ１の放電電流の方が大きくなり、キャパシタ電圧ＶＣＡ１が低下する方向にフィードバックがかかり、共振点に引き戻される。共振点では１サイクルでの第１補助キャパシタＣＡ１の充電電流と放電電流がバランスし、キャパシタ電圧ＶＣＡ１が平衡状態となり、擬似的な共振状態が持続する。このように、図２のワイヤレス給電装置２によれば、疑似共振状態を生ずるために必要な補正電圧ＶＡを自動的に生成できる。
【００６８】
以上がワイヤレス給電装置２の動作である。
このようにワイヤレス給電装置２によれば、送信アンテナ２０の共振周波数ｆｃを調節することなく、疑似共振状態を実現するように回路の状態を自動的にチューニングすることができる。ワイヤレス送電では、ワイヤレス給電装置２とワイヤレス受電装置４の位置関係によって、共振周波数が時々刻々と変化するが、ワイヤレス給電装置２によれば、その変化に高速に追従することができ、高効率な電力伝送が可能となる。
【００６９】
またワイヤレス給電で大電力を伝送しようとすると、共振用キャパシタＣＴＸの両端間の電圧は非常に大きくなるため、バリコン（バリキャップ）の利用は制約される。ワイヤレス給電装置２によれば共振用キャパシタＣＴＸの容量値を調節する必要がないため、バリコン等を使用する必要がないという利点もある。
【００７０】
ここでは、第１スイッチＳＷ１を、第１ハイサイドスイッチＳＷＨ１の位相に対してθＴＸ＝９０°遅れた位相でスイッチングさせる場合を説明したが、位相差θＴＸは９０°である必要はなく、２７０°（−９０°）であってもよい。この場合、キャパシタ電圧ＶＣＡ１が負電圧となるように自動的に調節されるからである。
【００７１】
すなわち、ｆｃ＜ｆＴＸの場合、θＴＸ＝９０°または２７０°とすることにより、疑似共振状態を実現できる。
位相差θＴＸは、９０°もしくは２７０°から外れていてもよい。この場合、図７に示すベクトル図において、電流成分ＩＤＲＶとＩＡの位相差θＴＸが９０°ではなくなるが、この場合でも、それらを合成した共振電流ＩＴＸの位相が０°となるように、キャパシタ電圧ＶＣＡ１が自動的に調節される。ただし、位相差θＴＸが９０°もしくは２７０°に近いほど、電流成分ＩＡの振幅、言い換えればキャパシタ電圧ＶＣＡ１の絶対値が小さくできるという利点がある。
【００７２】
なお、ｆｃ＜ｆＴＸの場合にθＴＸ＝２７０°とできるのは、第１スイッチＳＷ１、第２スイッチＳＷ２を双方向スイッチを用いて構成した場合に限られる。第１スイッチＳＷ１、第２スイッチＳＷ２が片方向スイッチである場合には、θＴＸ＝２７０°とすることはできない。この場合、ボディダイオードに電流が流れてしまうからである。片方向スイッチを用いる場合、逆導通素子であるボディダイオードに電流が流れないような位相で、第１スイッチＳＷ１、第２スイッチＳＷ２をスイッチングさせる必要がある。
【００７３】
ワイヤレス給電装置２は、ｆｃ＜ｆＴＸの場合のみでなく、ｆｃ＞ｆＴＸの場合においても、自動的に疑似共振状態を実現できる。この場合、θＴＸ＝２７０°（−９０°）とすることが好ましい。
【００７４】
図９は、ｆｃ＞ｆＴＸの場合の、自動チューニング補助回路３０による疑似共振状態を説明するフェーザ図である。駆動電圧ＶＤＲＶの位相を０°、補正電圧ＶＡの位相をθＴＸ＝２７０°（−９０°）としている。ｆｃ＞ｆＴＸにおいて、電流の位相は電圧に対して進むが、この場合であっても、疑似共振状態が実現できる。
【００７５】
なおｆｃ＞ｆＴＸにおいて、位相差θＴＸを９０°付近としてもよい。この場合、疑似共振状態が得られるように、自動的にキャパシタ電圧ＶＣＡ１が負電圧となる。
【００７６】
ただし、ｆｃ＜ｆＴＸの場合にθＴＸ＝９０°とできるのは、第１スイッチＳＷ１、第２スイッチＳＷ２を双方向スイッチを用いて構成した場合に限られる。第１スイッチＳＷ１、第２スイッチＳＷ２が片方向スイッチである場合には、θＴＸ＝９０°とすることはできない。上述したように、ボディダイオードに電流が流れてしまうからである。
【００７７】
続いて、ワイヤレス給電装置２の変形例を説明する。各変形例は、任意の他の変形例と組み合わせることができ、このような組み合わせも本発明の範囲に含まれる。
【００７８】
これまでの説明では、第１制御部４０が、自動チューニング補助回路３０を構成する複数のスイッチを、駆動電圧ＶＤＲＶと同じ周波数ｆＴＸで駆動する場合を説明したが、本発明はそれには限定されない。第１制御部４０は、駆動電圧ＶＤＲＶの奇数倍、もしくは奇数分の１倍の周波数でスイッチをスイッチングすることによっても、擬似的な共振状態を実現できる。
【００７９】
図１０は、第１の変形例に係るワイヤレス給電装置２ａの構成を示す回路図である。自動チューニング補助回路３０ａは、第１端子３１と第２端子３２の間に、第２スイッチＳＷ２と直列に設けられた第２補助キャパシタＣＡ２を備える。
【００８０】
この変形例において、補正電圧ＶＡは、第１スイッチＳＷ１のオン時間ＴＯＮ１においてキャパシタ電圧ＶＣＡ１と等しくなり、第２スイッチＳＷ２のオン時間ＴＯＮ２においてキャパシタ電圧ＶＣＡ２と等しくなる。
【００８１】
ワイヤレス給電装置２ａによれば、キャパシタ電圧ＶＣＡ１、ＶＣＡ２を最適化されることにより、ｆＴＸ＞ｆｃ、ｆＴＸ＜ｆｃいずれの場合も疑似共振状態を実現できる。
【００８２】
図１１は、第２の変形例に係るワイヤレス給電装置２ｂの構成を示す回路図である。自動チューニング補助回路３０ｂは、充電回路３４および検出抵抗Ｒｓを備える。検出電流Ｒｓは、共振電流ＩＴＸの経路上に設けられる。検出抵抗Ｒｓには、共振電流ＩＴＸに比例した検出電圧Ｖｓが発生する。充電回路３４は、検出電圧Ｖｓにもとづき、第１補助キャパシタＣＡ１を、疑似共振状態となるようなレベルに充電する。上述のように、キャパシタ電圧ＶＣＡ１は自動的に最適なレベルとなるが、充電回路３４を設けることにより、より短い時間で、疑似共振状態とすることができる。
【００８３】
図１２は、第３の変形例に係るワイヤレス給電装置２ｃの構成を示す回路図である。
これまでは電源がハーフブリッジ回路の場合を説明したが、図１２の電源１０ｃはＨブリッジ回路で構成される。第２ハイサイドスイッチＳＷＨ２および第２ローサイドスイッチＳＷＬ２は、直流電源１２の出力端子と固定電圧端子（接地端子）の間に順に直列に設けられる。
【００８４】
第１制御部４０ｃは、第１ハイサイドスイッチＳＷＨ１と第２ローサイドスイッチＳＷＬ２のペアがオンの状態と、第２ハイサイドスイッチＳＷＨ２と第１ローサイドスイッチＳＷＬ１のペアがオンの状態を、交互に繰り返す。
第１ハイサイドスイッチＳＷＨ１と第１ローサイドスイッチＳＷＬ１の接続点（第１出力端子）ＯＵＴ１と、第２ハイサイドスイッチＳＷＨ２と第２ローサイドスイッチＳＷＬ２の接続点（第２出力端子）ＯＵＴ２には、互いに逆相の駆動電圧ＶＤＲＶ、＃ＶＤＲＶが発生する。送信アンテナ２０および自動チューニング補助回路３０ｃは、第１出力端子ＯＵＴ１と第２出力端子ＯＵＴ２の間に直列にカップリングされる。
【００８５】
図１２のワイヤレス給電装置２ｃによっても、これまで説明したワイヤレス給電装置と同様の効果を得ることができる。
【００８６】
図１３（ａ）、（ｂ）は、それぞれ第４、第５の変形例に係るワイヤレス給電装置２ｄ、２ｅの構成を示す回路図である。第１制御部４０は省略される。
図１３（ａ）のワイヤレス給電装置２ｄにおいて、自動チューニング補助回路３０ｄは、第１トランスＴ１を介して送信アンテナ２０と直列にカップリングされる。具体的には、第１トランスＴ１の２次巻線Ｗ２は第１端子３１と第２端子３２の間に設けられ、その１次巻線Ｗ１は、送信アンテナ２０と直列に設けられる。電源１０は、送信アンテナ２０と１次巻線Ｗ１の両端間に駆動電圧を印加する。
【００８７】
このワイヤレス給電装置２ｄでは、第１トランスＴ１を介して送信アンテナ２０と自動チューニング補助回路３０ｄの間のエネルギーの授受が行われる。この構成によっても、これまで説明したワイヤレス給電装置と同様の効果を得ることができる。
【００８８】
図１３（ｂ）では、電源１０が第２トランスＴ２を介して送信アンテナ２０および自動チューニング補助回路３０ｄの両端間に駆動電圧ＶＤＲＶを印加する。具体的には第２トランスＴ２の２次巻線Ｗ２は、送信アンテナ２０と直列に設けられる。電源１０は、第２トランスＴ２の１次巻線Ｗ１の両端に駆動電圧ＶＤＲＶを印加する。
【００８９】
このワイヤレス給電装置２ｅでは、駆動電圧ＶＤＲＶは、第２トランスＴ２を介して送信アンテナ２０と自動チューニング補助回路３０ｄの両端間に印加される。この構成によっても、これまで説明したワイヤレス給電装置と同様の効果を得ることができる。ワイヤレス給電装置２ｅにおいて、第１トランスＴ１を省略してもよい。図１３（ａ）、（ｂ）における電源１０は、Ｈブリッジ回路、ハーフブリッジ回路、その他の電源のいずれであってもよい。
【００９０】
（ワイヤレス受電装置）
上述した自動チューニング補助回路は、ワイヤレス受電装置にも利用することができる。以下では、ワイヤレス受電装置について説明する。
【００９１】
図１４は、第１の実施の形態に係るワイヤレス受電装置４の構成を示す回路図である。ワイヤレス受電装置４は、上述の、あるいは全く別構成のワイヤレス給電装置から送信される電力信号Ｓ１を受ける。電力信号Ｓ１は、電波になっていない電磁波の近傍界（電界、磁界、あるいは電磁界）が利用される。
【００９２】
ワイヤレス受電装置４は、受信アンテナ５０、自動チューニング補助回路６０および電力を供給すべき負荷７０を備える。負荷７０には、図示しない整流回路、検波回路などが内蔵されてもよい。
【００９３】
受信アンテナ５０は、第１端５１と第２端５２の間に直列に設けられた受信コイルＬＲＸおよび共振用キャパシタＣＲＸを含む。
【００９４】
自動チューニング補助回路６０は、上述の自動チューニング補助回路３０と同様に構成される。具体的には、第３スイッチＳＷ３および第３補助キャパシタＣＡ３は、第１端子６１と第２端子６２の間に直列に設けられる。第４スイッチＳＷ４は、第１端子６１と第２端子６２の間に、第３スイッチＳＷ３および第３補助キャパシタＣＡ３と並列に設けられる。
【００９５】
第２制御部６４は、第３スイッチＳＷ３および第４スイッチＳＷ４を、電力信号Ｓ１と同じ周波数で、かつ送信側においてアンテナに印加される駆動電圧（ＶＤＲＶ）に対してある位相差θＲＸで相補的にスイッチングする。たとえばθＲＸ＝１８０°または０°であることが好ましい。
【００９６】
自動チューニング補助回路６０は、受信アンテナ５０と直列にカップリングされる。また電力を供給すべき負荷７０は、第３補助キャパシタＣＡ３に接続される。
【００９７】
以上がワイヤレス受電装置４の構成である。続いてその動作を説明する。図１５は、図１４のワイヤレス受電装置４の等価回路図である。ワイヤレス給電装置２における自動チューニング補助回路３０と同様に、自動チューニング補助回路６０は、補正電圧ＶＡを受信アンテナ５０に印加する補正電源と把握することができる。補正電圧ＶＡは、第３スイッチＳＷ３のオン時間ＴＯＮ３において、第３補助キャパシタＣＡ３の電圧ＶＣＡ３となり、第４スイッチＳＷ４のオン時間ＴＯＮ４において接地電圧となる。
【００９８】
図１６は、図１４のワイヤレス受電装置４の動作を示す波形図である。図１６は上から順に、第３スイッチＳＷ３、第４スイッチＳＷ４、補正電圧ＶＡ、受信アンテナ５０に流れる共振電流ＩＲＸ、受信コイルＬＲＸと共振用キャパシタＣＲＸの両端間の共振電圧ＶＲＸを示す。スイッチを示す波形は、ハイレベルがオン状態を、ローレベルがオフ状態を示す。共振電流ＩＲＸおよび共振電圧ＶＲＸは、実線が自動チューニング補助回路６０を動作させてから十分な時間が経過した後の定常状態（疑似共振状態）における波形を、破線が自動チューニング補助回路６０を動作させない非共振状態における波形を示す。
【００９９】
第３スイッチＳＷ３および第４スイッチＳＷ４を、ワイヤレス給電装置側の駆動電圧ＶＤＲＶに対して１８０°または０°シフトした位相θＲＸで相補的にスイッチングさせることにより、第３補助キャパシタＣＡ３が充電、または放電される。そして補正電圧ＶＡが受信アンテナ５０に印加されることにより、共振電流ＩＡの位相が、送信側の駆動電圧ＶＤＲＶの位相と一致し、疑似共振状態が実現できる。
【０１００】
疑似共振状態を実現するためには、第３スイッチＳＷ３および第４スイッチＳＷ４を適切な周波数ｆＴＸおよび位相θＲＸでスイッチングさせる必要がある。そこでワイヤレス給電装置２からワイヤレス受電装置４に対して、周波数ｆＴＸおよび位相θＲＸを示すデータを送信してもよい。あるいはワイヤレス受電装置４は、位相θＲＸをスイープし、最適な位相θＲＸを検出してもよい。
【０１０１】
以上がワイヤレス受電装置４の動作である。
このように図１４のワイヤレス受電装置４によれば、共振用キャパシタＣＲＸの容量値を調節することなく、自動的に共振状態を実現することができる。
【０１０２】
続いてワイヤレス受電装置４の変形例を説明する。
【０１０３】
これまでの説明では、第２制御部６４は、電力信号Ｓ１と同じ周波数で、自動チューニング補助回路６０を構成する複数のスイッチを駆動する場合を説明したが、本発明はそれには限定されない。第２制御部６４は、電力信号Ｓ１の奇数倍、もしくは奇数分の１倍の周波数でスイッチをスイッチングすることによっても、擬似的な共振状態を実現できる。
【０１０４】
図１４では、負荷７０が第３補助キャパシタＣＡ３と接続される場合を説明したが、負荷７０は別の位置に設けられてもよい。図１７（ａ）、（ｂ）は、第１、第２の変形例に係るワイヤレス受電装置の構成を示す回路図である。図１７（ａ）のワイヤレス受電装置４ａにおいて、負荷７０ａは、受信アンテナ５０および自動チューニング補助回路６０と直列に設けられる。具体的には負荷７０ａは受信アンテナ５０の第１端５１に接続される。
【０１０５】
図１７（ｂ）のワイヤレス受電装置４ｂは、第３トランスＴ３を備え、受信アンテナ５０と負荷７０ｂは、第３トランスＴ３によって絶縁される。第３トランスＴ３の１次巻線Ｗ１は、受信アンテナ５０と直列に設けられ、２次巻線Ｗ２に負荷７０ｂが接続される。
【０１０６】
図１７（ａ）、（ｂ）に示すように、受信アンテナ５０と直列に負荷を接続した場合、負荷のインピーダンスが低い場合には、自動チューニング補助回路６０による調整をしなくても、ある程度の電力を取り出すことができるという利点がある。一方で、負荷の抵抗成分によって受信アンテナ５０のＱ値が低下するため、大電力が取り出しにくくなる。
【０１０７】
反対に図４のように自動チューニング補助回路６０から電力を取り出す場合、負荷７０によって受信アンテナ５０のＱ値が低下しないため、負荷７０のインピーダンスが高い場合でも、大電力を取り出すことができる。一方、負荷７０のインピーダンスが低すぎる場合、自動チューニング補助回路６０の動作が阻害されるという問題がある。
【０１０８】
したがって、負荷をいずれの位置に配置するかは、送電すべき電力や、負荷のインピーダンス等を考慮して決定すればよい。
【０１０９】
図１８は、第３の変形例に係るワイヤレス受電装置４ｃの構成を示す回路図である。自動チューニング補助回路６０ｃは、第１端子６１と第２端子６２の間に第４スイッチＳＷ４と直列に設けられた第４補助キャパシタＣＡ４をさらに備える。負荷７０の位置は限定されない。
【０１１０】
この変形例において、補正電圧ＶＡは、第３スイッチＳＷ３のオン時間ＴＯＮ３においてキャパシタ電圧ＶＣＡ３と等しくなり、第４スイッチＳＷ４のオン時間ＴＯＮ４においてキャパシタ電圧ＶＣＡ４と等しくなる。このワイヤレス受電装置４ｃによれば、ｆＴＸ＞ｆｃ、ｆＴＸ＜ｆｃそれぞれの状態において疑似共振状態となるように、キャパシタ電圧ＶＣＡ１、ＶＣＡ２を最適化することができる。
【０１１１】
ワイヤレス受電装置において、第３スイッチＳＷ３、第４スイッチＳＷ４は、片方向スイッチ、双方向スイッチのいずれで構成してもよい。片方向スイッチで構成する場合、それぞれの逆導通素子に電流が流れない位相で、第３スイッチＳＷ３、第４スイッチＳＷ４をスイッチングする必要がある。
【０１１２】
図１９（ａ）、（ｂ）はそれぞれ、第４、第５の変形例に係るワイヤレス受電装置の構成を示す回路図である。第２制御部６４は省略される。
図１９（ａ）のワイヤレス受電装置４ｄにおいて、自動チューニング補助回路６０ｄは、第４トランスＴ４を介して受信アンテナ５０と直列にカップリングされる。具体的には、第４トランスＴ４の２次巻線Ｗ２は第１端子６１と第２端子６２の間に設けられ、その１次巻線Ｗ１は、受信アンテナ５０と直列に設けられる。
【０１１３】
このワイヤレス受電装置４ｄでは、第４トランスＴ４を介して受信アンテナ５０と自動チューニング補助回路６０ｄの間のエネルギーの授受が行われる。この構成によっても、これまで説明したワイヤレス受電装置と同様の効果を得ることができる。
【０１１４】
図１９（ｂ）では、負荷７０が第５トランスＴ５を介して受信アンテナ５０および自動チューニング補助回路６０ｄとカップリングされる。具体的には第５トランスＴ５の１次巻線Ｗ１は、受信アンテナ５０と直列に接続される。負荷７０は、第５トランスＴ５の２次巻線Ｗ２の両端に接続される。
【０１１５】
この構成によっても、これまで説明したワイヤレス受電装置と同様の効果を得ることができる。ワイヤレス受電装置４ｅにおいて、第４トランスＴ４を省略してもよい。図１９（ａ）において負荷７０を第３補助キャパシタＣＡ３とカップリングしてもよい。あるいは図１９（ｂ）において負荷７０を第３補助キャパシタＣＡ３と第５トランスＴ５を介してカップリングしてもよい。
【０１１６】
（ワイヤレス送電システム）
上述のワイヤレス給電装置とワイヤレス受電装置を組み合わせることにより、ワイヤレス送電システムを実現できる。
【０１１７】
図２０は、第１の実施の形態に係るワイヤレス送電システムの構成例を示す回路図である。ワイヤレス送電システム１は、ワイヤレス給電装置２とワイヤレス受電装置４を備える。
【０１１８】
負荷７０は、負荷回路７６に加えて、整流回路７２およびスイッチングレギュレータ７４を備える。整流回路７２は同期検波回路であり、平滑用キャパシタＣ３、第３ハイサイドスイッチＳＷＨ３、第３ローサイドスイッチＳＷＬ３を備える。
【０１１９】
スイッチングレギュレータ７４は、昇降圧コンバータであり、負荷回路７６に対して最大電力を供給できるように制御される。スイッチングレギュレータ７４の構成および動作は公知であるため、ここでの説明は省略する。
【０１２０】
以上がワイヤレス送電システム１の構成である。図２１は、図２０のワイヤレス送電システム１の動作を示す波形図である。
【０１２１】
ワイヤレス給電装置２において、第１スイッチＳＷ１および第２スイッチＳＷ２は、駆動電圧ＶＤＲＶに対してθＴＸ＝９０°遅れた位相で駆動される。その結果、ワイヤレス給電装置２において疑似共振状態が成立する。
【０１２２】
ワイヤレス受電装置４においては、ワイヤレス給電装置２側の駆動電圧ＶＤＲＶに対してθＲＸ＝１８０°遅れた位相で、第３スイッチＳＷ３および第４スイッチＳＷ４が駆動される。また第３スイッチＳＷ３は、第１スイッチＳＷ１に対して９０°遅れた位相で駆動される。その結果、ワイヤレス受電装置４においても疑似共振状態が成立する。
【０１２３】
整流回路７２の第３ハイサイドスイッチＳＷＨ３および第３ローサイドスイッチＳＷＬ３は、第３スイッチＳＷ３および第４スイッチＳＷ４に対して９０°遅れた位相で駆動される。その結果、平滑用キャパシタＣ３に直流電圧が発生する。この直流電圧は、スイッチングレギュレータ７４によって負荷回路７６に最適な電圧レベルに変換される。
【０１２４】
以上がワイヤレス送電システム１の動作である。このようにワイヤレス送電システム１によれば、ワイヤレス給電装置２、ワイヤレス受電装置４それぞれに自動チューニング補助回路を設けることにより、負荷７０に対して最大電力を送信することが可能となる。
【０１２５】
当然ながら、変形例を含めた任意のワイヤレス給電装置２と、任意のワイヤレス受電装置４が組み合わせ可能であることは言うまでもない。
【０１２６】
図２０では、ワイヤレス給電装置２、ワイヤレス受電装置４の両方に自動チューニング補助回路を実装する場合を説明したが、本発明はそれには限定されない。
ワイヤレス給電装置２にのみ自動チューニング補助回路を設け、ワイヤレス受電装置は、従来のように共振用キャパシタＣＲＸの調節を行ってもよい。
反対にワイヤレス受電装置４にのみ自動チューニング補助回路を設け、ワイヤレス給電装置２は、従来のように共振用キャパシタＣＴＸの調節を行ってもよい。
【０１２７】
さらには、ワイヤレス給電装置２にのみ自動チューニング補助回路を設け、ワイヤレス受電装置４は、一切の調節機構を有さなくてもよい。あるいはワイヤレス受電装置４にのみ自動チューニング補助回路を設け、ワイヤレス給電装置２は、一切の調節機構を有さなくてもよい。
これらの場合、単一の自動チューニング補助回路によって、電源１０と負荷７０の間のインピーダンスマッチングがとれるようにチューニングされ、高効率な電力伝送が可能となる。この場合に、自動チューニング補助回路のスイッチングの位相θＴＸ（θＲＸ）の最適値は９０°もしくは２７０°（１８０°もしくは０°）から外れることに留意すべきである。
【０１２８】
以上、本発明について、第１の実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【０１２９】
自動チューニング補助回路３０を備えるワイヤレス給電装置２においては、共振用キャパシタＣＴＸを省略しても疑似共振状態が実現できる場合がある。この場合、共振用キャパシタＣＴＸを省略してもよい。同様に自動チューニング補助回路６０を備えるワイヤレス受電装置４において、共振用キャパシタＣＲＸを省略してもよい。
【０１３０】
ワイヤレス給電装置２は、所定の規則（暗号コード）に従い、駆動電圧ＶＤＲＶの周波数ｆＴＸおよび位相の少なくとも一方を変化させ、電力信号Ｓ１を暗号化する。暗号コードを知っているワイヤレス受電装置４は、その暗号コードにもとづき、自動チューニング補助回路６０のスイッチング周波数、位相を制御する。その結果、電力信号Ｓ１が暗号化されている場合でも、それを復号して電力供給を受けることができる。暗号コードを知らないワイヤレス受電装置は、自動チューニング補助回路６０のスイッチを適切に制御できないため、電力を受信することができなくなる。ワイヤレス電力伝送では、悪意の利用者による盗電が問題となりうるが、自動チューニング補助回路を利用することにより、この問題を解決することができる。
あるいは、単一のワイヤレス給電装置２が複数のワイヤレス受電装置４に給電する際に、自動チューニング補助回路を利用することにより端末毎の給電量を制御できる。
【０１３１】
（第２の実施の形態）
第１の実施の形態では、２つのスイッチＳＷ１、ＳＷ２を含む自動チューニング補助回路を説明した。第２の実施の形態における自動チューニング補助回路は、４つのスイッチを含んで構成される。自動チューニング補助回路８０を除くブロックの構成については、第１の実施の形態と同様である。また、第１の実施の形態で説明したさまざまな変形例は、第２の実施の形態においても有効である。
【０１３２】
（ワイヤレス給電装置）
図２２は、第２の実施の形態に係るワイヤレス給電装置２の構成を示す回路図である。ワイヤレス給電装置２は、ワイヤレス受電装置（不図示）に対して電力信号Ｓ１を送出する。電力信号Ｓ１は、電波になっていない電磁波の近傍界（電界、磁界、あるいは電磁界）が利用される。
【０１３３】
ワイヤレス給電装置６は、電源１０、送信アンテナ２０、自動チューニング補助回路８０、第１制御部４０を備える。
【０１３４】
送信アンテナ２０は、その第１端２１とその第２端２２の間に設けられた送信コイルＬＴＸを含む。共振用キャパシタＣＴＸは、送信コイルＬＴＸと直列に設けられる。共振用キャパシタＣＴＸと送信コイルＬＴＸは入れかえてもよい。
【０１３５】
自動チューニング補助回路８０は、送信アンテナ２０と直列にカップリングされる。電源１０は、図２と同様にハーフブリッジ回路で構成され、送信アンテナ２０および自動チューニング補助回路８０の両端間に、所定の送信周波数ｆＴＸを有する交流の駆動電圧ＶＤＲＶを印加する。駆動電圧ＶＤＲＶは、矩形波、台形波、正弦波をはじめとする任意の交流波形であって構わない。本実施の形態では、駆動電圧ＶＤＲＶは、第１電圧レベル（電源電圧ＶＤＤ）と第２電圧レベル（接地電圧ＶＧＮＤ＝０Ｖ）でスイングする矩形波であるものとする。
【０１３６】
電源１０は、図２の電源１０と同様にハーフブリッジ回路で構成される。第１制御部４０は、第１ハイサイドスイッチＳＷＨ１および第１ローサイドスイッチＳＷＬ１を、送信周波数ｆＴＸで相補的にスイッチングする。
【０１３７】
第２の実施の形態において、自動チューニング補助回路８０は、第１端子８１、第２端子８２、第１スイッチＳＷｃ１〜第４スイッチＳＷｃ４、第１補助キャパシタＣＡ５を備える。
【０１３８】
第１スイッチＳＷｃ１および第２スイッチＳＷｃ２は、第１端子８１と第２端子８２の間に順に直列に設けられる。第３スイッチＳＷｃ３および第４スイッチＳＷｃ４は、第１端子８１と第２端子８２の間に順に直列に、かつ第１スイッチＳＷｃ１および第２スイッチＳＷｃ２に対して並列に設けられる。第１補助キャパシタＣＡ５は、第１スイッチＳＷｃ１と第２スイッチＳＷｃ２の接続点Ｎ１と、第３スイッチＳＷｃ３と第４スイッチＳＷｃ４の接続点Ｎ２の間に設けられる。第１補助キャパシタＣＡ５の容量値は、共振用キャパシタＣＴＸに比べて十分に大きいことが望ましい。
【０１３９】
第１制御部４０は、第１スイッチＳＷｃ１〜第４スイッチＳＷｃ４を、駆動電圧ＶＤＲＶと同じ周波数ｆＴＸで、かつ駆動電圧ＶＤＲＶに対してある位相差θＴＸでスイッチングする。好ましくは位相差θＴＸは、＋９０°もしくは−９０°（２７０°）付近であってもよい。すなわち第１制御部４０の一部は、自動チューニング補助回路８０を構成する。
【０１４０】
第１の実施の形態と同様に、第１スイッチＳＷｃ１〜第４スイッチＳＷｃ４は、双方向スイッチ、あるいは片方向スイッチのいずれかでも構成できる。片方向スイッチを用いる場合、それらのスイッチングの位相に注意を払う必要があることも、すでに説明した通りである。
【０１４１】
以上がワイヤレス給電装置６の構成である。続いてその動作を説明する。
【０１４２】
図２３は、図２２のワイヤレス給電装置６の動作を示す波形図である。図２３は、上から順に、第１ハイサイドスイッチＳＷＨ１、第１ローサイドスイッチＳＷＬ１、駆動電圧ＶＤＲＶ、第１スイッチＳＷｃ１、第２スイッチＳＷｃ２、第３スイッチＳＷｃ３、第４スイッチＳＷｃ４、第１端子８１に生ずる補正電圧ＶＡ、送信アンテナ２０に流れる共振電流ＩＴＸ、送信コイルＬＴＸと共振用キャパシタＣＴＸの両端間の共振電圧ＶＴＸを示す。スイッチを示す波形は、ハイレベルがオン状態を、ローレベルがオフ状態を示す。また共振電流ＩＴＸおよび共振電圧ＶＴＸは、自動チューニング補助回路３０を動作させてから十分な時間が経過した後の定常状態における波形を示す。
【０１４３】
図２３に示すように、第１ハイサイドスイッチＳＷＨ１、第１ローサイドスイッチＳＷＬ１を相補的にスイッチングすることにより、矩形波の駆動電圧ＶＤＲＶが送信アンテナ２０および自動チューニング補助回路３０の両端間に印加される。第１制御部４０は、駆動電圧ＶＤＲＶと同じ周波数で、かつ駆動電圧ＶＤＲＶに対してθＴＸ（＝９０°）遅れた位相で、第１スイッチＳＷｃ１および第４スイッチＳＷｃ４を含む第１のペアＰ１を駆動し、第１のペアＰ１と相補的に、すなわち１８０°ずれた位相で、第２スイッチＳＷｃ２および第３スイッチＳＷｃ３を含む第２のペアＰ２を駆動する。
【０１４４】
共振電流ＩＴＸは、第１のペアＰ１のオン時間ＴＯＮ１において、第１スイッチＳＷｃ１、第１補助キャパシタＣＡ５、第４スイッチＳＷｃ４を含む経路に流れ、第２のペアＰ２のオン時間ＴＯＮ２において、第３スイッチＳＷｃ３、第１補助キャパシタＣＡ５、第２スイッチＳＷｃ２を含む経路に流れる。
【０１４５】
つまり、第１補助キャパシタＣＡ５は、共振電流ＩＴＸによって充放電され、その結果、第１補助キャパシタＣＡ５には、キャパシタ電圧ＶＣＡ５が発生する。
【０１４６】
自動チューニング補助回路８０は、送信アンテナ２０の第２端２２に補正電圧ＶＡを印加する。補正電圧ＶＡは、第１のペアＰ１がオンの期間ＴＯＮ１において第１の極性をとり、第２のペアＰ２がオンの期間ＴＯＮ２において第２の極性をとる。自動チューニング補助回路８０は、補正電圧ＶＡを送信アンテナ２０に印加する補正電源と把握することができる。すなわち、ワイヤレス給電装置６の等価回路は、図５の等価回路と同等とみなすことができ、その動作原理も同様であることがわかる。
【０１４７】
すなわち自動チューニング補助回路８０を動作させると、送信アンテナ２０に対して、駆動電圧ＶＤＲＶに対してθＴＸ＝９０°遅れた位相の補正電圧ＶＡが印加される。その結果、共振電流ＩＴＸの位相が駆動電圧ＶＤＲＶの位相と一致し、擬似的な共振状態となる。これにより、共振電流ＩＴＸの振幅は、非共振状態よりも大きくなる。これは、図７、図９のフェーザ図に示される通りである。
【０１４８】
第２の実施の形態における自動チューニング補助回路８０の動作は、第１の実施の形態において図８を参照して説明した通りであり、疑似共振状態を満足する補正電圧ＶＡを自動的に生成することができる。
【０１４９】
以上がワイヤレス給電装置６の動作である。
このようにワイヤレス給電装置６によれば、送信アンテナ２０の共振周波数ｆｃを調節することなく、疑似共振状態を実現するように回路の状態を自動的にチューニングすることができる。ワイヤレス送電では、ワイヤレス給電装置とワイヤレス受電装置の位置関係によって、共振周波数が時々刻々と変化するが、ワイヤレス給電装置６によれば、その変化に高速に追従することができ、高効率な電力伝送が可能となる。
【０１５０】
またワイヤレス給電で大電力を伝送しようとすると、共振用キャパシタＣＴＸの両端間の電圧は非常に大きくなるため、バリコン（バリキャップ）の利用は制約される。ワイヤレス給電装置６によれば共振用キャパシタＣＴＸの容量値を調節する必要がないため、バリコン等を使用する必要がないという利点もある。
【０１５１】
ここでは、第１スイッチＳＷｃ１、第４スイッチＳＷｃ４を含む第１ペアを、第１ハイサイドスイッチＳＷＨ１（駆動電圧ＶＤＲＶ）の位相に対してθＴＸ＝９０°遅れた位相でスイッチングさせる場合を説明したが、位相差θＴＸは９０°である必要はなく、２７０°（−９０°）であってもよい。この場合、キャパシタ電圧ＶＣＡ１が逆極性となるように自動的に調節されるからである。ただし、第１スイッチＳＷｃ１〜第４スイッチＳＷｃ４を片方向スイッチを用いて構成する場合には、逆導通素子に電流が流れない位相でスイッチングする必要がある。具体的には、
ｆｃ＜ｆＴＸのときにθＴＸ＝９０°
ｆｃ＞ｆＴＸのときにθＴＸ＝２７０°
とすることが望ましい。
【０１５２】
また第１の実施の形態で説明したように、位相差θＴＸは、９０°もしくは２７０°から外れていてもよい。
【０１５３】
続いて、ワイヤレス給電装置６の変形例を説明する。各変形例は、任意の他の変形例と組み合わせることができ、このような組み合わせも本発明の範囲に含まれる。
【０１５４】
これまでの説明では、第１制御部４０が、自動チューニング補助回路８０を構成する複数のスイッチを、駆動電圧ＶＤＲＶと同じ周波数ｆＴＸで駆動する場合を説明したが、本発明はそれには限定されない。第１制御部４０は、駆動電圧ＶＤＲＶの奇数倍、もしくは奇数分の１倍の周波数でスイッチをスイッチングすることによっても、擬似的な共振状態を実現できる。
【０１５５】
図２４は、第１の変形例に係るワイヤレス給電装置６ａの構成を示す回路図である。図２４の電源１０ｃはＨブリッジ回路で構成される。送信アンテナ２０および自動チューニング補助回路８０ａは、電源１０ｃの第１出力端子ＯＵＴ１と第２出力端子ＯＵＴ２の間に直列に設けられる。さらに直流阻止用のキャパシタＣ２が、送信アンテナ２０と自動チューニング補助回路８０ａと直列に設けられる。自動チューニング補助回路８０ａにおいて、第１補助キャパシタＣＡ５の一端（Ｎ２）は接地される。
【０１５６】
図２４のワイヤレス給電装置６ａによっても、これまで説明したワイヤレス給電装置と同様の効果を得ることができる。
【０１５７】
第１の実施の形態で説明したように、電源、自動チューニング補助回路、その両方は、トランスを介して送信アンテナ２０とカップリングされてもよい。図２５（ａ）〜（ｃ）は、それぞれ第２〜第４の変形例に係るワイヤレス給電装置６ｂ〜６ｄの構成を示す回路図である。第１制御部４０は省略される。
【０１５８】
図２５（ａ）のワイヤレス給電装置６ｂでは、自動チューニング補助回路８０ａは、第６トランスＴ６を介して送信アンテナ２０と直列にカップリングされる。具体的には、第６トランスＴ６の１次巻線Ｗ１が、送信アンテナ２０と直列に設けられ、その２次巻線Ｗ２は、自動チューニング補助回路８０ａの第１端子６１と第２端子６２の間に設けられる。電源１０ｃは、送信アンテナ２０と第６トランスＴ６の１次巻線Ｗ１の両端間に駆動電圧を印加する。
【０１５９】
図２５（ｂ）のワイヤレス給電装置６ｃでは、電源１０ｃは、第７トランスＴ７を介して、送信アンテナ２０および自動チューニング補助回路８０ａとカップリングされる。電源１０ｃは、第７トランスＴ７の１次巻線Ｗ１の両端に駆動電圧を印加する。送信アンテナ２０および自動チューニング補助回路８０ａは、２次巻線Ｗ２と直列に設けられる。
【０１６０】
図２５（ｃ）のワイヤレス給電装置６ｄでは、ハーフブリッジ構成の電源１０が、第７トランスＴ７を介して送信アンテナ２０および自動チューニング補助回路８０ａとカップリングされる。電源１０の出力端子と第７トランスＴ７の第１巻線Ｗ１の間には、直流阻止用のキャパシタＣ３が設けられる。
【０１６１】
さらに図２５（ａ）〜（ｃ）の変形例を組み合わせて、電源、自動チューニング補助回路の両方を、送信アンテナに対してトランスで結合してもよい。
【０１６２】
これらの変形例によっても、これまで説明したワイヤレス給電装置と同様の効果を得ることができる。
【０１６３】
（ワイヤレス受電装置）
上述した第２の実施の形態に係る自動チューニング補助回路は、ワイヤレス受電装置にも利用することができる。以下では、ワイヤレス受電装置について説明する。
【０１６４】
図２６は、第２の実施の形態に係るワイヤレス受電装置８の構成を示す回路図である。ワイヤレス受電装置８は、上述の、あるいは全く別構成のワイヤレス給電装置から送信される電力信号Ｓ１を受ける。電力信号Ｓ１は、電波になっていない電磁波の近傍界（電界、磁界、あるいは電磁界）が利用される。
【０１６５】
ワイヤレス受電装置８は、受信アンテナ５０、自動チューニング補助回路９０および電力を供給すべき負荷７０を備える。負荷７０には、図示しない整流回路、検波回路などが内蔵されてもよい。
【０１６６】
受信アンテナ５０は、第１端５１と第２端５２の間に直列に設けられた受信コイルＬＲＸおよび共振用キャパシタＣＲＸを含む。
【０１６７】
自動チューニング補助回路９０は、図２２の自動チューニング補助回路８０と同様に構成される。具体的には、自動チューニング補助回路９０、第１端子９１、第５スイッチＳＷｃ５〜第８スイッチＳＷｃ８、第２補助キャパシタＣＡ６を備える。
【０１６８】
第５スイッチＳＷｃ５および第６スイッチＳＷｃ６は、第１端子９１と第２端子９２の間に直列に設けられる。第７スイッチＳＷｃ７および第８スイッチＳＷｃ８は、第１端子９１と第２端子９２の間に順に直列に、かつ第５スイッチＳＷｃ５および第６スイッチＳＷｃ６に対して並列に設けられる。第２補助キャパシタＣＡ６は、第５スイッチＳＷｃ５と第６スイッチＳＷｃ６の接続点Ｎ３と、第７スイッチＳＷｃ７と第８スイッチＳＷｃ８の接続点Ｎ４の間に設けられる。第２補助キャパシタＣＡ６の容量値は、共振用キャパシタＣＲＸに比べて十分に大きいことが望ましい。
【０１６９】
第２制御部９４は、第５スイッチＳＷｃ５〜第８スイッチＳＷｃ８を、電力信号Ｓ１と同じ周波数で、かつ送信側においてアンテナに印加される駆動電圧（ＶＤＲＶ）に対してある位相差θＲＸでスイッチングする。たとえばθＲＸ＝１８０°または０°であることが好ましい。
【０１７０】
自動チューニング補助回路９０は、受信アンテナ５０と直列にカップリングされる。また電力を供給すべき負荷７０は、受信アンテナ５０および自動チューニング補助回路９０と直接に設けられる。
【０１７１】
以上がワイヤレス受電装置８の構成である。続いてその動作を説明する。ワイヤレス受電装置８の等価回路図は、図１５のワイヤレス受電装置４と同等である。ワイヤレス給電装置６における自動チューニング補助回路８０と同様に、自動チューニング補助回路９０は、補正電圧ＶＡを受信アンテナ５０に印加する補正電源と把握することができる。
【０１７２】
図２７は、図２６のワイヤレス受電装置８の動作を示す波形図である。図２７は上から順に、第５スイッチＳＷｃ５〜第８スイッチＳＷｃ８、補正電圧ＶＡ、受信アンテナ５０に流れる共振電流ＩＲＸ、受信コイルＬＲＸと共振用キャパシタＣＲＸの両端間の共振電圧ＶＲＸを示す。スイッチを示す波形は、ハイレベルがオン状態を、ローレベルがオフ状態を示す。
【０１７３】
第５スイッチＳＷｃ５および第８スイッチＳＷｃ８を含む第１のペアは、ワイヤレス給電装置側の駆動電圧ＶＤＲＶに対して１８０°または０°シフトした位相θＲＸで相補的にスイッチングされる。第６スイッチＳＷｃ６および第７スイッチＳＷｃ７を含む第２のペアは、第１のペアと相補的にスイッチングされる。共振電流ＩＲＸは、第１のペアのオン時間ＴＯＮ１において、第５スイッチＳＷｃ５、第２補助キャパシタＣＡ６、第８スイッチＳＷｃ８を含む経路に流れ、第２のペアのオン時間ＴＯＮ２において、第６スイッチＳＷｃ６、第２補助キャパシタＣＡ６、第７スイッチＳＷｃ７を含む経路に流れる。
【０１７４】
第２補助キャパシタＣＡ６は、共振電流ＩＲＸによって充放電され、その結果、第２補助キャパシタＣＡ６には、キャパシタ電圧ＶＣＡ６が発生する。そしてキャパシタ電圧ＶＣＡ６に応じた補正電圧ＶＡが受信アンテナ５０に印加されることにより、共振電流ＩＡの位相が、送信側の駆動電圧ＶＤＲＶの位相と一致し、疑似共振状態が実現できる。
【０１７５】
疑似共振状態を実現するためには、第５スイッチＳＷｃ５および第８スイッチＳＷｃ８を適切な周波数ｆＴＸおよび位相θＲＸでスイッチングさせる必要がある。そこでワイヤレス給電装置からワイヤレス受電装置８に対して、周波数ｆＴＸおよび位相θＲＸを示すデータを送信してもよい。あるいはワイヤレス受電装置８は、位相θＲＸをスイープし、最適な位相θＲＸを検出してもよい。
【０１７６】
以上がワイヤレス受電装置８の動作である。
このように図２６のワイヤレス受電装置８によれば、共振用キャパシタＣＲＸの容量値を調節することなく、自動的に共振状態を実現することができる。
【０１７７】
続いてワイヤレス受電装置８の変形例を説明する。
【０１７８】
これまでの説明では、第２制御部６４は、電力信号Ｓ１と同じ周波数で、自動チューニング補助回路３０を構成する複数のスイッチを駆動する場合を説明したが、本発明はそれには限定されない。第２制御部６４は、電力信号Ｓ１の奇数倍、もしくは奇数分の１倍の周波数でスイッチをスイッチングすることによっても、擬似的な共振状態を実現できる。
【０１７９】
図２６では、負荷７０の一端を接地して基準電位としているが、負荷７０の一端を接地する代わりに、自動チューニング補助回路９０の第２補助キャパシタＣＡ６の一端、すなわち接続点Ｎ３またはＮ４の一方を接地してもよい。
【０１８０】
図２８（ａ）、（ｂ）は、第２、第３の変形例に係るワイヤレス受電装置の構成を示す回路図である。
【０１８１】
図２６では、負荷７０が受信アンテナ５０と直列に接続される場合を説明したが、負荷７０は別の位置に設けられてもよい。
図２８（ａ）に示す第１の変形例に係るワイヤレス受電装置８ａでは、自動チューニング補助回路９０ａの接続点Ｎ４が接地される。負荷７０ａは、第２補助キャパシタＣＡ６と並列に設けられる。すなわち負荷７０ａには、第２補助キャパシタＣＡ６に生ずるキャパシタ電圧ＶＣＡ６が供給される。
【０１８２】
図２８（ｂ）に示す第２の変形例に係るワイヤレス受電装置８ｂでは、負荷７０ｂは、受信アンテナ５０および自動チューニング補助回路９０ａと直列な経路に、第８トランスＴ８を介してカップリングされる。
【０１８３】
図２８（ｃ）、（ｄ）は、負荷の構成例を示す回路図である。図２８（ｃ）の負荷７０ｃは、ダイオード整流回路７２ｃと、負荷回路７６を含む。図２８（ｄ）の負荷７０ｄは、同期検波回路７２ｄと負荷回路７６を含む。負荷回路は、図２０に示すようにさらにスイッチングレギュレータ７４を備えてもよい。
【０１８４】
自動チューニング補助回路９０は、受信アンテナ５０に対してトランスを介して直列に結合されてもよい。図２９は、第３の変形例に係るワイヤレス受電装置８ｃの構成を示す回路図である。自動チューニング補助回路９０ａは、第９トランスＴ９を介して、受信アンテナ５０と直列にカップリングされる。負荷は、受信アンテナ５０および１次巻線Ｗ１と直列に設けられてもよいし、第２補助キャパシタＣＡ６と並列に設けられてもよい。
【０１８５】
これらの変形例によっても、図２６のワイヤレス受電装置８と同様の効果を得ることができる。
【０１８６】
図２６のように受信アンテナ５０と直列に負荷を接続した場合、負荷のインピーダンスが低い場合には、自動チューニング補助回路９０による調整をしなくても、ある程度の電力を取り出すことができるという利点がある。一方で、負荷の抵抗成分によって受信アンテナ５０のＱ値が低下するため、大電力が取り出しにくくなる。
【０１８７】
反対に図２８（ａ）のように自動チューニング補助回路９０ａから電力を取り出す場合、負荷７０によって受信アンテナ５０のＱ値が低下しないため、負荷７０ａのインピーダンスが高い場合でも、大電力を取り出すことができる。一方、負荷７０ａのインピーダンスが低すぎる場合、自動チューニング補助回路６０の動作が阻害されるという問題がある。
【０１８８】
したがって、負荷をいずれの位置に配置するかは、送電すべき電力や、負荷のインピーダンス等を考慮して決定すればよい。
【０１８９】
第５スイッチＳＷｃ５〜第８スイッチＳＷｃ８は、双方向スイッチ、あるいは片方向スイッチのいずれかでも構成できる。片方向スイッチを用いる場合、それらのスイッチングの位相に注意を払う必要があることも、すでに説明した通りである。
【０１９０】
（ワイヤレス送電システム）
第２の実施の形態で説明したワイヤレス給電装置６とワイヤレス受電装置８を組み合わせることにより、ワイヤレス送電システムを実現できる。
【０１９１】
また、ワイヤレス給電装置６、ワイヤレス受電装置８の両方に自動チューニング補助回路を実装する場合を説明したが、本発明はそれには限定されない。
ワイヤレス給電装置６にのみ自動チューニング補助回路を設け、ワイヤレス受電装置は、従来のように共振用キャパシタＣＲＸの調節を行ってもよい。反対にワイヤレス受電装置８にのみ自動チューニング補助回路を設け、ワイヤレス給電装置６は、従来のように共振用キャパシタＣＴＸの調節を行ってもよい。
【０１９２】
さらには、ワイヤレス給電装置６にのみ自動チューニング補助回路を設け、ワイヤレス受電装置８は、一切の調節機構を有さなくてもよい。あるいはワイヤレス受電装置８にのみ自動チューニング補助回路を設け、ワイヤレス給電装置６は、一切の調節機構を有さなくてもよい。
これらの場合、単一の自動チューニング補助回路によって、電源１０と負荷７０の間のインピーダンスマッチングがとれるようにチューニングされ、高効率な電力伝送が可能となる。この場合に、自動チューニング補助回路のスイッチングの位相θＴＸ（θＲＸ）の最適値は９０°もしくは２７０°（１８０°もしくは０°）から外れることに留意すべきである。
【０１９３】
あるいは、第１の実施の形態に係るワイヤレス給電装置２を、第２の実施の形態に係るワイヤレス受電装置８と組み合わせてもよいし、ワイヤレス受電装置４をワイヤレス給電装置６と組み合わせてもよい。
【０１９４】
以上、本発明について、第２の実施の形態をもとに説明した。この実施の形態は例示であり、それらの各構成要素や各処理プロセスの組み合わせにいろいろな変形例が可能なこと、またそうした変形例も本発明の範囲にあることは当業者に理解されるところである。以下、こうした変形例について説明する。
【０１９５】
自動チューニング補助回路８０を備えるワイヤレス給電装置６においては、共振用キャパシタＣＴＸを省略しても疑似共振状態が実現できる場合がある。この場合、共振用キャパシタＣＴＸを省略してもよい。同様に自動チューニング補助回路９０を備えるワイヤレス受電装置８において、共振用キャパシタＣＲＸを省略してもよい。
【０１９６】
ワイヤレス給電装置６は、所定の規則（暗号コード）に従い、駆動電圧ＶＤＲＶの周波数ｆＴＸおよび位相の少なくとも一方を変化させ、電力信号Ｓ１を暗号化する。暗号コードを知っているワイヤレス受電装置８は、その暗号コードにもとづき、自動チューニング補助回路９０のスイッチング周波数、位相を制御する。その結果、電力信号Ｓ１が暗号化されている場合でも、それを復号して電力供給を受けることができる。暗号コードを知らないワイヤレス受電装置は、自動チューニング補助回路９０のスイッチを適切に制御できないため、電力を受信することができなくなる。ワイヤレス電力伝送では、悪意の利用者による盗電が問題となりうるが、自動チューニング補助回路を利用することにより、この問題を解決することができる。
あるいは、単一のワイヤレス給電装置６が複数のワイヤレス受電装置８に給電する際に、自動チューニング補助回路を利用することにより端末毎の給電量を制御できる。
【０１９７】
自動チューニング補助回路３０の用途は、ワイヤレス電力電送には限定されず、チューニングが必要なさまざまな用途に利用できる。
【０１９８】
実施の形態にもとづき本発明を説明したが、実施の形態は、本発明の原理、応用を示しているにすぎず、実施の形態には、請求の範囲に規定された本発明の思想を逸脱しない範囲において、多くの変形例や配置の変更が認められる。
【符号の説明】
【０１９９】
１…ワイヤレス送電システム、２…ワイヤレス給電装置、４…ワイヤレス受電装置、６…ワイヤレス給電装置、８…ワイヤレス受電装置、１０…電源、１２…直流電源、ＳＷＨ１…第１ハイサイドスイッチ、ＳＷＬ１…第１ローサイドスイッチ、ＳＷＨ２…第２ハイサイドスイッチ、ＳＷＬ２…第２ローサイドスイッチ、２０…送信アンテナ、２２…第１端、２４…第２端、ＬＴＸ…送信コイル、ＣＴＸ…共振用キャパシタ、３０…自動チューニング補助回路、３１…第１端子、３２…第２端子、３４…充電回路、ＣＡ１…第１補助キャパシタ、ＣＡ２…第２補助キャパシタ、ＣＡ３…第３補助キャパシタ、ＣＡ４…第４補助キャパシタ、ＳＷ１…第１スイッチ、ＳＷ２…第２スイッチ、４０…第１制御部、５０…受信アンテナ、ＬＲＸ…受信コイル、ＣＲＸ…共振用キャパシタ、５１…第１端、５２…第２端、６０…自動チューニング補助回路、ＳＷ３…第３スイッチ、ＳＷ４…第４スイッチ、６１…第１端子、６２…第２端子、６４…第２制御部、７０…負荷、７２…整流回路、ＳＷＨ３…第３ハイサイドスイッチ、ＳＷＬ３…第３ローサイドスイッチ、７４…スイッチングレギュレータ、７６…負荷回路、８０…自動チューニング補助回路、８１…第１端子、８２…第２端子、ＳＷｃ１…第１スイッチ、ＳＷｃ２…第２スイッチ、ＳＷｃ３…第３スイッチ、ＳＷｃ４…第４スイッチ、ＣＡ５…第１補助キャパシタ、９０…自動チューニング補助回路、９１…第１端子、９２…第２端子、ＳＷｃ５…第５スイッチ、ＳＷｃ６…第６スイッチ、ＳＷｃ７…第７スイッチ、ＳＷｃ８…第８スイッチ、ＣＡ６…第２補助キャパシタ、９４…第２制御部。
【産業上の利用可能性】
【０２００】
本発明は、ワイヤレス給電技術に利用できる。
【図１】
0005860458.tif 000002
【図２】
0005860458.tif 000003
【図３】
0005860458.tif 000004
【図４】
0005860458.tif 000005
【図５】
0005860458.tif 000006
【図６】
0005860458.tif 000007
【図７】
0005860458.tif 000008
【図８】
0005860458.tif 000009
【図９】
0005860458.tif 000010
【図１０】
0005860458.tif 000011
【図１１】
0005860458.tif 000012
【図１２】
0005860458.tif 000013
【図１３】
0005860458.tif 000014
【図１４】
0005860458.tif 000015
【図１５】
0005860458.tif 000016
【図１６】
0005860458.tif 000017
【図１７】
0005860458.tif 000018
【図１８】
0005860458.tif 000019
【図１９】
0005860458.tif 000020
【図２０】
0005860458.tif 000021
【図２１】
0005860458.tif 000022
【図２２】
0005860458.tif 000023
【図２３】
0005860458.tif 000024
【図２４】
0005860458.tif 000025
【図２５】
0005860458.tif 000026
【図２６】
0005860458.tif 000027
【図２７】
0005860458.tif 000028
【図２８】
0005860458.tif 000029
【図２９】
0005860458.tif 000030